(57)【要約】【課題】印刷不良の発生を好適に抑止できるグラビアオフセット印刷方法を提供する。【解決手段】このグラビアオフセット印刷方法では、第２の細線部２３に対してドクターブレード５を所定の傾斜角θ１をもって傾斜させている。これにより、ドクターブレード５を用いて凹部２１（第２の細線部２３）内に印刷ペーストＰを充填する際、弾性変形したドクターブレード５の先端が凹部２１内に過度に落ち込むことを抑制でき、凹部２１内の印刷ペーストＰがドクターブレード５によって過剰に掻き取られることを抑制できる。したがって、後続の工程で凹部２１からブランケット６への印刷ペーストＰの転移を適切に実行でき、印刷不良の発生を好適に抑止できる。【選択図】図８
2014128924.tif 000002
【特許請求の範囲】
【請求項１】
微細配線パターンを基板に印刷するグラビアオフセット印刷方法であって、
印刷方向に延びる第１の細線部と前記印刷方向に直交する方向に延びる第２の細線部とを含むグラビア版上の凹部を配置し、
ドクターブレードを用いて前記凹部に印刷ペーストを充填する際、前記第２の細線部に対して前記ドクターブレードが所定の傾斜角をもって傾斜するように、前記ドクターブレードを前記グラビア版に対して圧接して走査させることを特徴とするグラビアオフセット印刷方法。
【請求項２】
前記第２の細線部を前記印刷方向に直交する方向に対して前記所定の傾斜角をもって配置し、
前記ドクターブレードを前記印刷方向に直交する方向に一致させて配置することを特徴とする請求項１記載のグラビアオフセット印刷方法。
【請求項３】
前記凹部に充填された前記印刷ペーストをブランケットに転移させる際、前記第２の細線部に対して前記ブランケットの軸方向が所定の傾斜角をもって傾斜するように、前記ブランケットを前記グラビア版に圧接して回転させることを特徴とする請求項１又は２記載のグラビアオフセット印刷方法。
【請求項４】
前記第２の細線部を前記印刷方向に直交する方向に対して前記所定の傾斜角をもって配置し、
前記ブランケットの軸方向を前記印刷方向に直交する方向に一致させて配置することを特徴とする請求項３記載のグラビアオフセット印刷方法。
【請求項５】
前記所定の傾斜角が５°〜４５°であることを特徴とする請求項１〜４のいずれか一項記載のグラビアオフセット印刷方法。
【発明の詳細な説明】
【技術分野】
【０００１】
本発明は、グラビアオフセット印刷方法に関する。
【背景技術】
【０００２】
タッチパネル等の各種電子部品に用いられる導電回路や電極等の配線パターンの形成には、パターンの線幅・厚さ・生産速度等に応じて、フレキソ印刷、スクリーン印刷、インクジェット印刷、グラビア印刷、グラビアオフセット印刷といった各種の印刷法が用いられている。これらの各種の印刷法の中でも、例えば数十μｍ程度の微細配線パターンの形成にはグラビアオフセット印刷が着目されている。
【０００３】
グラビアオフセット印刷では、所望の印刷パターンに対応する凹部が形成されたグラビア版と、表面がシリコーンゴムからなるブランケットとが用いられる（例えば特許文献１参照）。グラビアオフセット印刷の工程は、大きく分けて、グラビア版の凹部に印刷ペーストを充填するドクタリング工程と、凹部に充填された印刷ペーストをブランケットの表面に転移するオフ工程と、ブランケットに移った印刷ペーストを基板等に転写するセット工程とを備える。この印刷法によれば、凹部の形状によって印刷パターンの形状を自在に設定でき、また、ブランケットから基板への印刷ペーストの転写率も高いため、微細配線パターンを精度良く形成することが可能となっている。
【先行技術文献】
【特許文献】
【０００４】
【特許文献１】特開２０１１−２４０５７０号公報
【特許文献２】特開２０１２−１８３７９３号公報
【発明の概要】
【発明が解決しようとする課題】
【０００５】
上述したドクタリング工程では、一旦グラビア版の全面に印刷ペーストを塗付した後、ドクターブレードでグラビア版の表面の余分な印刷ペーストを掻き取ることで、凹部への印刷ペーストの充填を行っている。しかしながら、ドクターブレードでグラビア版を走査していく際、ドクターブレードの先端が弾性変形して凹部内に落ち込み、凹部内の印刷ペーストの一部が掻き取られてしまう場合があった。このような印刷ペーストの過剰な掻き取りが生じると、続くオフ工程での凹部からブランケットへの印刷ペーストの転移に不具合が生じ、印刷不良を生じさせる要因となる。
【０００６】
このような問題に対し、例えば特許文献２に記載のオフセット印刷方法では、凹部にドクターブレードの凹部への進入を規制するための障壁を設けている。しかしながら、この方法では、凹部の線幅が小さくなるほど障壁を設けることが困難になるという問題がある。また、凹部の障壁が設けられた部分には印刷ペーストを充填できないため、形成可能な微細配線パターンの形状が制限されることも考えられる。
【０００７】
本発明は、上記課題の解決のためになされたものであり、印刷不良の発生を好適に抑止できるグラビアオフセット印刷方法を提供することを目的とする。
【課題を解決するための手段】
【０００８】
上記課題の解決のため、本発明に係るグラビアオフセット印刷方法は、微細配線パターンを基板に印刷するグラビアオフセット印刷方法であって、印刷方向に延びる第１の細線部と印刷方向に直交する方向に延びる第２の細線部とを含むグラビア版上の凹部を配置し、ドクターブレードを用いて凹部に印刷ペーストを充填する際、第２の細線部に対してドクターブレードが所定の傾斜角をもって傾斜するように、ドクターブレードをグラビア版に対して圧接して走査させることを特徴としている。
【０００９】
このグラビアオフセット印刷方法では、第２の細線部に対してドクターブレードを所定の傾斜角をもって傾斜させている。これにより、ドクターブレードを用いて凹部内に印刷ペーストを充填する際、弾性変形したドクターブレードの先端が凹部内に過度に落ち込むことを抑制でき、凹部内の印刷ペーストがドクターブレードによって過剰に掻き取られることを抑制できる。したがって、後続の工程で凹部からブランケットへの印刷ペーストの転移を適切に実行でき、印刷不良の発生を好適に抑止できる。
【００１０】
また、第２の細線部を印刷方向に直交する方向に対して所定の傾斜角をもって配置し、ドクターブレードを印刷方向に直交する方向に一致させて配置することが好ましい。この方法では、グラビア版上の凹部の配置を調整することによって、簡単な構成でドクターブレードと第２の細線部との間に傾斜角を設けることができる。
【００１１】
また、凹部に充填された印刷ペーストをブランケットに転移させる際、第２の細線部に対してブランケットの軸方向が所定の傾斜角をもって傾斜するように、ブランケットをグラビア版に圧接して回転させることが好ましい。これにより、ブランケットをグラビア版に圧接する際、ブランケットが凹部内に過度に落ち込むことを抑制でき、凹部内の印刷ペーストをブランケットに適切に転移させることができる。したがって、印刷不良の発生を一層効果的に抑止できる。
【００１２】
また、第２の細線部を印刷方向に直交する方向に対して所定の傾斜角をもって配置し、ブランケットの軸方向を印刷方向に直交する方向に一致させて配置することが好ましい。この方法では、グラビア版上の凹部の配置を調整することによって、簡単な構成でブランケットの軸方向と第２の細線部との間に傾斜角を設けることができる。
【００１３】
また、上記所定の傾斜角が５°〜４５°であることが好ましい。これにより、第１の細線部及び第２の細線部に対する凹部へのドクターブレードの落ち込み又はブランケットの落ち込みをいずれも効果的に抑制できる。
【発明の効果】
【００１４】
本発明に係るグラビアオフセット印刷方法によれば、印刷不良の発生を好適に抑止できる。
【図面の簡単な説明】
【００１５】
【図１】本発明に係るグラビアオフセット印刷方法の一実施形態を適用してなる印刷装置の主要な構成を示す斜視図である。
【図２】図１に示した印刷装置に用いて形成する微細配線パターンの一例を示す平面図である。
【図３】図２に示したグラビア版に配置される凹部の一例を示す平面図である。
【図４】図１に示した印刷装置を用いて実施されるドクタリング工程を示す斜視図である。
【図５】図４の工程に後続して実施されるオフ工程を示す斜視図である。
【図６】図５の工程に後続して実施されるセット工程を示す斜視図である。
【図７】ドクターブレードによる凹部内の印刷ペーストの過剰な掻き取りの様子を示す図である。
【図８】図４に示したドクタリング工程における凹部とドクターブレードとの配置関係を示す図である。
【図９】ブランケットの凹部内への過剰な落ち込みの様子を示す図である。
【図１０】図５に示したオフ工程における凹部とブランケットとの配置関係を示す図である。
【図１１】本発明の効果確認試験結果を示す図である。
【図１２】実施例及び比較例におけるブランケット上での印刷ペーストの形成結果を示す図である。
【発明を実施するための形態】
【００１６】
以下、図面を参照しながら、本発明に係るグラビアオフセット印刷方法の好適な実施形態について詳細に説明する。
【００１７】
図１は、本発明に係るグラビアオフセット印刷方法の一実施形態を適用してなる印刷装置の主要な構成を示す斜視図である。図１に示すように、印刷装置１は、グラビア版１１が載置される第１のステージ２と、被印刷物である基板１２が載置される第２のステージ３と、第１のステージ２及び第２のステージ３を所定の方向に直線状に往復動させる搬送部４と、グラビア版１１に圧接可能に設けられたドクターブレード５と、グラビア版１１及び基板１２に圧接可能に設けられたブランケット６と、を含んで構成されている。
【００１８】
この印刷装置１は、例えばタッチパネルに用いられる透明導電フィルム等の基板１２に、グラビアオフセット印刷によって微細配線パターンを形成する装置として構成されている。基板１２に形成する微細配線パターンとしては、例えば電極部と配線部とを有し、タッチパネルの表示領域の縁部に沿って形成される、いわゆるベゼルパターン１３が挙げられる。
【００１９】
ベゼルパターン１３は、透明電極と接続される細線の集合体であり、例えば図２に示すように、所定の方向に延びる第１の細線パターン１４と、第１の細線パターン１４と略直交する方向に第１の細線パターン１４の一端部から延びる第２の細線パターン１５とからなる一対の略Ｌ字状の配線パターン１６，１６を有している。第２の細線パターン１５の先端部には、第１の細線パターン１４と反対側に延びる複数の細線によって電極パターン１７が形成されており、一対の略Ｌ字状の配線パターン１６，１６は、電極パターン１７，１７同士が所定の間隔をもって対向し、かつ第１の細線パターン１４，１４同士が略平行となるように配置されている。第１の細線パターン１４及び第２の細線パターン１５の線幅は、例えば１０μｍ〜１００μｍとなっている。また、電極パターン１７は、例えば幅２００μｍ×長さ２０００μｍ程度の略長方形状の領域に形成されている。
【００２０】
微細配線パターンの形成に用いる印刷ペーストＰ（図４参照）は、例えば導電性粉末、樹脂、溶剤等の混合物を３本ロール等で撹拌することによって得られる。導電性粉末には、例えばＡｇ、Ａｕ、Ｐｔ、Ｃｕ、Ａｌといった各種の金属が用いられる。金属は、単体であっても合金であってもよい。また、導電性粉末の粒子に異なる金属を被覆したものを用いてもよい。粒子の形状は、球状、デンドライト状、フレーク状といった各種の形状であってよい。
【００２１】
樹脂には、例えば熱硬化性樹脂、紫外線硬化性樹脂、熱可塑性樹脂等の各種の樹脂が用いられる。熱硬化性樹脂としては、例えばメラミン樹脂、エポキシ樹脂、フェノール樹脂、ポリイミド樹脂、アクリル樹脂等が挙げられる。紫外線硬化型樹脂としては、例えば（メタ）アクリロイル基を有するアクリル樹脂、エポキシ樹脂、ポリエステル樹脂、及びこれらとモノマーとの混合物が挙げられる。また、熱可塑性樹脂としては、例えばポリエステル樹脂、ポリビニルブチラール樹脂、セルロース樹脂、アクリル樹脂等が挙げられる。これらの樹脂は、単独で用いてもよく、２種以上を混合して用いてもよい。
【００２２】
溶剤には、印刷工程における印刷ペーストＰの乾燥を防止するため、例えば沸点が２４０℃以上の高沸点溶剤を含有させることが好ましい。かかる高沸点溶剤としては、例えばジアミルベンゼン、トリアミルベンゼン、ジエチレングリコール、ジエチレングリコールモノブチルエーテルアセテート、ジエチレングリコールジブチルエーテル、ジエチレングリコールモノアセテート、トリエチレングリコール、トリエチレングリコールモノメチルエーテル、トリエチレングリコールモノエチルエーテル、トリエチレングリコールモノブチルエーテル、テトラエチレングリコール、テトラエチレングリコールモノブチルエーテルなどが挙げられる。
【００２３】
グラビア版１１は、例えばソーダライムガラスやノンアルカリガラス等によって板状に形成されている。このグラビア版１１には、図３に示すように、ベゼルパターン１３に対応する描画用の凹部２１が形成されている。凹部２１は、エッチング等を用いて形成され、グラビア版１１上に例えばマトリクス状に配列されている。各凹部２１は、第１の細線パターン１４に対応する第１の細線部２２と、第２の細線パターン１５に対応する第２の細線部２３とからなる一対の略Ｌ字状の細線部２４，２４を有している。第２の細線部２３の先端部には、電極パターン１７に対応する電極領域部２５が形成されており、一対の略Ｌ字状の細線部２４，２４は、電極領域部２５，２５同士が所定の間隔をもって対向し、かつ第１の細線部２２，２２同士が略平行となるように配置されている。
【００２４】
第１の細線部２２及び第２の細線部２３の線幅は、第１の細線パターン１４及び第２の細線パターン１５の線幅に略一致し、例えば１０μｍ〜１００μｍとなっている。また、電極領域部２５の形成領域は、電極パターン１７の形成領域に略一致し、例えば幅２００μｍ×長さ２０００μｍ程度の略長方形状の領域に形成されている。以上のような凹部２１は、第１の細線部２２が印刷方向である搬送部４の搬送方向（以下「ＭＤ（Machine Direction）方向」と記す）に延び、かつ第２の細線部２３が搬送部４の搬送方向に直交する方向（以下「ＴＤ（Transverse Direction）方向」と記す）に延びるように形成され、さらに、ＴＤ方向に対して鋭角の傾斜角θをもって傾斜した状態となっている。
【００２５】
ドクターブレード５は、図１に示すように、第１のステージ２がドクターブレード５の配置位置を通過する際に、先端のブレード部分がグラビア版１１の表面に圧接するように第１のステージ２の搬送路の上方に配置されている。これにより、グラビア版１１の表面全体に塗布された印刷ペーストＰが掻き取られ、グラビア版１１の凹部２１内に印刷ペーストＰが充填される。
【００２６】
ブランケット６は、例えば円筒状のシリンダの表面にゴム等を巻いて構成され、軸周りに回転可能となっている。このブランケット６は、搬送部４の上方に配置され、リニアサーボモータ等の駆動手段によって、第１のステージ２上のグラビア版１１或いは第２のステージ３上の基板１２に対して圧接可能な進出位置と、これらのグラビア版１１及び基板１２から離間する退避位置との間で駆動するようになっている。
【００２７】
ブランケット６の表面６ａのゴムは、印刷ペーストＰの離型性や転移性を考慮して選択することが好ましく、例えばシリコーンゴムが用いられる。これにより、ブランケット６の表面６ａの硬度が好適となり、印刷ペーストＰをグラビア版１１からブランケット６に転移する際、及び印刷ペーストＰをブランケット６から基板１２に転写する際のブランケット６の表面６ａの変形を最適化できる。
【００２８】
続いて、上述した印刷装置１を用いたグラビアオフセット印刷の印刷工程について説明する。
【００２９】
この印刷装置１では、基板１２に微細配線パターンを印刷する１回の印刷工程の中で、大きく分けて、グラビア版１１の凹部２１に印刷ペーストＰを充填するドクタリング工程と、凹部２１に充填された印刷ペーストＰをブランケット６の表面６ａに転移するオフ工程と、ブランケット６に移った印刷ペーストＰを基板１２に転写するセット工程とを実行する。印刷工程の開始の際、第１のステージ２上にグラビア版１１を載置すると共に、カメラ等を用いて位置合わせを行いながら第２のステージ３上に基板１２を載置する。また、グラビア版１１の表面の全体に予め印刷ペーストＰを塗布する。
【００３０】
ドクタリング工程では、図４に示すように、グラビア版１１が載置された第１のステージ２がブランケット６側に所定の速度で搬送され、ドクターブレード５の下を通過する。これにより、ドクターブレード５がグラビア版１１の表面に圧接され、グラビア版１１の表面の印刷ペーストＰがブレード部分で掻き取られる。第１のステージ２がドクターブレード５を通過し終えると、グラビア版１１の凹部２１内に印刷ペーストＰが充填された状態となる。
【００３１】
オフ工程では、ブランケット６が圧接位置に進出し、図５に示すように、第１のステージ２がブランケット６の下方を通過する。これにより、グラビア版１１における凹部２１内の印刷ペーストＰがブランケット６の表面６ａに転移し、ブランケット６の表面６ａには、凹部２１から離型した印刷ペーストＰによってベゼルパターン１３が描画される。このオフ工程では、印刷ペーストＰがブランケット６の表面６ａに転移する際、印刷ペーストＰ中の溶剤がブランケット６の表面６ａに十分吸収されることが好ましい。これにより、続くセット工程において、ブランケット６から基板１２への印刷ペーストＰの転写精度を担保できる。
【００３２】
セット工程では、ブランケット６が退避位置に移動し、第１のステージ２が初期位置に戻ると共に、第２のステージ３がブランケット６よりもドクターブレード５側に搬送される。次に、ブランケット６が再び圧接位置に進出し、図６に示すように、第２のステージ３がブランケット６の下方を通過する。これにより、ブランケット６の表面６ａのベゼルパターン１３が基板１２に転写され、印刷工程が完了する。
【００３３】
続いて、上述したドクタリング工程及びオフ工程について更に詳細に説明する。
【００３４】
ドクタリング工程で用いるドクターブレード５は、例えば図７（ａ）に示すように、グラビア版１１に対向する先端部において、印刷ペーストＰを掻き取るためのブレード部５ａと、ブレード部５ａに対して当板の役割を果たす当板部５ｂとを有している。かかるドクターブレード５では、ブレード部５ａが完全な剛体ではないため、ドクタリング工程にてグラビア版１１の表面に圧接される際、ブレード部５ａの材質及び長さに依存して先端部にしなりが生じる場合がある。このようなブレード部５ａのしなりが生じると、ドクターブレード５が凹部２１上を通過するときにブレード部５ａが凹部２１内に部分的に落ち込み、図７（ｂ）に示すように、凹部２１内の印刷ペーストＰが過度に掻き取られてしまうおそれがあった。このようなしなりの発生を抑制するには、ブレード部５ａの長さを短くすることも考えられる。しかしながら、グラビア版１１へのダメージ及びドクターブレード５の消耗を考慮すると、ブレード部５ａの一定の長さを確保しておく必要がある。
【００３５】
これに対し、本実施形態のドクタリング工程では、ＴＤ方向に延びる第２の細線部２３に対してドクターブレード５が所定の傾斜角θ１をもって傾斜するように、ドクターブレード５をグラビア版１１に対して配置している。より具体的には、このドクタリング工程では、例えば図８に示すように、ドクターブレード５をＴＤ方向に一致させて配置する一方で、第２の細線部２３がＴＤ方向に対して傾斜角θ１で傾斜するように凹部２１を傾斜させてグラビア版１１上に形成している。このような傾斜角θ１を持たせることにより、このドクタリング工程では、ドクターブレード５をグラビア版１１に対して圧接して走査させる際に、弾性変形したドクターブレード５の先端が凹部２１（第２の細線部２３）内に過度に落ち込むことを抑制でき、凹部２１内の印刷ペーストＰがドクターブレード５によって過剰に掻き取られることを抑制できる。したがって、後続のオフ工程で凹部２１からブランケット６への印刷ペーストＰの転移を高い転移率で実施でき、セット工程での印刷不良の発生を好適に抑止できる。なお、上記傾斜角θ１は、５°〜４５°の範囲で適宜設定可能である。
【００３６】
また、オフ工程において、ブランケット６の軸方向が第２の細線部２３の延在方向と一致している場合、図９に示すように、ブランケット６がグラビア版１１上に圧接されることによって、ブランケット６の一部が、凹部２１内に過剰に落ち込むことがあった。このようなブランケット６の過剰な落ち込みが生じると、凹部２１内の印刷ペーストＰに対して過度に圧力がかかることや、印刷ペーストＰが凹部２１の壁面に当たることに起因して、印刷ペーストＰが抜けにくくなるおそれがあった。このため、ブランケット６への印刷ペーストＰの転移率が十分に得られず、ブランケット６上に形成される画線形状が劣化するおそれがあった。
【００３７】
これに対し、本実施形態のオフ工程では、ＴＤ方向に延びる第２の細線部２３に対してブランケット６の軸方向が所定の傾斜角θ２をもって傾斜するように、ブランケット６をグラビア版１１に対して配置している。より具体的には、このオフ工程では、例えば図１０に示すように、ブランケット６の軸方向をＴＤ方向に一致させて配置する一方で、第２の細線部２３をＴＤ方向に対して傾斜角θ２で傾斜するようにグラビア版１１上に形成している。このような傾斜角θ２を持たせることにより、このオフ工程では、ブランケット６が凹部２１（第２の細線部２３）内に過度に落ち込むことを抑制でき、凹部２１内の印刷ペーストＰをブランケット６に高い転移率で転移させることができる。したがって、後続のセット工程での印刷不良の発生を一層効果的に抑止できる。なお、上記傾斜角θ２は、ドクタリング工程と同様に、５°〜４５°の範囲で適宜設定可能である。
【００３８】
上述のように、本実施形態ではドクターブレード５及びブランケット６の配置をＴＤ方向と一致させ、グラビア版１１上の凹部２１をＴＤ方向に対して傾斜角θで傾斜させている。したがって、本実施形態では、ドクタリング工程における傾斜角θ１とオフ工程における傾斜角θ２とはいずれも傾斜角θと等しくなるように設けられる。また、この場合、ドクターブレード５やブランケット６といった印刷装置１側の構成を変更せず、グラビア版１１上の凹部２１の配置の調整だけで、簡単な構成でドクタリング工程及びオフ工程のいずれにおいても傾斜角θを形成できる。
【００３９】
続いて、本発明の効果確認試験について説明する。この効果確認試験では、凹部とドクターブレードとの傾斜角θ１及び凹部とブランケットの軸方向との傾斜角θ２を変更しながらグラビアオフセット印刷を実施し、ドクタリング工程については、凹部への印刷ペーストの充填率を評価し、オフ工程については、ブランケットへの印刷ペーストの転移率及びブランケット上の印刷ペーストの画線形状を評価した。ここで、凹部の線幅は約３０μｍとした。
【００４０】
具体的には、ドクタリング工程について、傾斜角θ１を、０°（比較例）、５°（実施例１）、１０°（実施例２）、２５°（実施例３）、４５°（実施例４）とし、各場合における凹部への印刷ペーストの充填率を評価した。
【００４１】
また、オフ工程について、ドクタリング工程での傾斜角θ１を１０°とし、オフ工程での傾斜角θ２を、０°（比較例）、５°（実施例１）、１０°（実施例２）、２５°（実施例３）、４５°（実施例４）とし、各場合におけるブランケットへの印刷ペーストの転移率及びブランケット上の印刷ペーストの画線形状を評価した。ブランケット上の印刷ペーストの画線形状の評価は、顕微鏡による観察で行い、評価基準は以下のとおりとした。
Ａ：細線の直線性に特に優れ、断線箇所なし
Ｂ：細線の直線性に優れ、断線箇所なし
Ｃ：細線の直線性に劣り、断線箇所なし
Ｄ：細線の直線性に劣り、断線箇所あり
【００４２】
図１１は、その試験結果を示す図である。図１１（ａ）に示すように、ドクタリング工程において、比較例では凹部への印刷ペーストの充填率が５０％にとどまったのに対し、実施例１では印刷ペーストの充填率が７０％、実施例２〜４では８０％に向上していた。また、図１１（ｂ）に示すように、オフ工程において、比較例ではブランケットへの印刷ペーストの転移率が２５％〜３０％にとどまったのに対し、実施例１〜４では、いずれもブランケットへの印刷ペーストの転移率が４０％〜４５％に向上していた。また、比較例では、ブランケット上の印刷ペーストの画線形状の直線性が低く、断線箇所が見られたのに対し、実施例１〜４では傾斜角θ２が大きくなる程直線性が向上し、いずれも断線箇所は見られなかった。
【００４３】
図１２は、実施例及び比較例におけるブランケット上での印刷ペーストの形成結果を示す図である。比較例（傾斜角θ１＝１０°、傾斜角θ２＝０°）では、図１２（ａ）に示すように、画線部分の中央付近に複数のピンホールが観察されたのに対し、実施例（傾斜角θ１＝１０°、傾斜角θ２＝１０°）では、図１２（ｂ）に示すように、画線部分にピンホールは観察されず、良好な画線形状となっていることが確認できた。
【００４４】
以上の結果から、ドクタリング工程及びオフ工程において傾斜角θ１及び傾斜角θ２を設けることで、良好な充填率及び画線形状が得られることがわかった。傾斜角θ１及び傾斜角θ２の範囲について、画線形状の向上の観点からは傾斜角θ１及び傾斜角θ２が大きいことが好ましく、基板上の微細配線パターンの形成密度の向上という観点等からは傾斜角θ１及び傾斜角θ２が小さいことが好ましい。したがって、これらの両立を考慮し、傾斜角θ１及び傾斜角θ２は５°〜４５°の範囲とすることが好ましい。
【００４５】
本発明は、上記実施形態に限られるものではない。例えば上記実施形態では、凹部２１（第２の細線部２３）とドクターブレード５及びブランケット６の軸方向との間に傾斜角を設けるために、グラビア版１１上の凹部２１の配置パターンをＴＤ方向に対して傾斜角θだけ傾斜させることにより、傾斜角θ１及び傾斜角θ２をいずれも傾斜角θと等しくなるように設けたが、傾斜角を設ける方法はこれに限定されるものではない。例えば、ドクターブレード５及びブランケット６の軸方向をＴＤ方向に対して傾斜角θをもつように傾斜させてもよい。また、凹部２１をグラビア版１１に対して傾斜させる代わりに、凹部２１がＴＤ方向に対して傾斜角θをもつようにグラビア版１１を第１のステージ２に対して傾斜して載置してもよい。これらの方法によっても、凹部２１とドクターブレード５及びブランケット６の軸方向との間に傾斜角が設けられる。また、傾斜角θ１及び傾斜角θ２を異なる大きさとしてもよい。
【００４６】
また、微細配線パターンは、タッチパネル用のものに限られず、電子ペーパー、太陽電池といった電子部品の導電回路、電極、絶縁層の形成にも適用できる。その他、上記実施形態では、平版のグラビア版と平板状の基板を用いた枚葉方式を例示したが、本発明では、平版のグラビア版に代えてロール版のグラビア版を用いてもよいし、或いは平板状の基板に代えて長尺シート状の基板を用いてもよい。生産性の観点からは、ロール版のグラビア版と平板状の基板又は長尺シート状の基板とを用いた連続方式を用いることが好適である。
【符号の説明】
【００４７】
５…ドクターブレード、６…ブランケット、１１…グラビア版、１２…基板、２１…凹部、２２…第１の細線部、２３…第２の細線部、Ｐ…印刷ペースト、θ，θ１，θ２…傾斜角。
【図１】
2014128924.tif 000003
【図２】
2014128924.tif 000004
【図３】
2014128924.tif 000005
【図６】
2014128924.tif 000006
【図７】
2014128924.tif 000007
【図８】
2014128924.tif 000008
【図９】
2014128924.tif 000009
【図１０】
2014128924.tif 000010
【図１１】
2014128924.tif 000011
【図１２】
2014128924.tif 000012
【図４】
2014128924.tif 000013
【図５】
2014128924.tif 000014